(57)【要約】【課題】枠と扉の組合せに使用するラッチ受けに、扉の開閉時の衝撃が繰り返し加えられても位置を変えない形状のカムを内蔵する。【解決手段】枠８側に取付ける調整ラッチ受け１１を底板部材１２とカム１９とラッチ受け部２６表板３１を主部材として構成した。底板部材の横側開口面を内折した左・右壁１７内面に突起１８を設け、ラッチ受け部と底板部材の各底板１３，２９の間にカムを回動自在に格納した。カムの回転角度Θとカムに接するラッチ受け部の変位量Ｈが比例するカムを使用して、カムの回転角度に関係なく突起と接する二点とカム軸２１中心は直線上に位置せしめた。この結果、二点の作用力は相殺され、回転力以外ではカムは動かないようにした。【選択図】          図４
2004346640.tif 000002
【特許請求の範囲】
【請求項１】
開口部用開閉材の扉と枠の組合せに使用するラッチとラッチ受けに於いて、
枠（８）側に取付けたラッチ受けが、底板部材（１２）とカム（１９）とラッチ受け部（２６）と表板（３１）を主部材として、ラッチ受け部と底板部材の各底板（１３，２９）の間にカムを格納し、
ラッチ受け部の底孔（３０）にカム軸（２１）を嵌合して回動自在に保持し、底板部材の横側の開口側を内折した左・右壁（１７）内面に設けた突起（１８）の間でカム本体（２０）を回動自在に挟み、カムを回転するとラッチ受け部が表板と底板部材に沿い移動する構造とした調整ラッチ受け。
【請求項２】
使用するカム（１９）の形状が、カム軸（２１）中心を通る直径線上の二点でカム本体（２０）と底板部材（１２）の突起（１８）が接し、カムが回転しても二点間の距離が変わることなく、カムの回転角度Θとカムに接するラッチ受け部の変位量Ｈを直線（比例）関係においた請求項１に記載の調整ラッチ受け。
【発明の詳細な説明】
【０００１】
【産業上の利用分野】
本発明は、枠と扉の組合せに使用する調整ラッチ受けに関する。
【０００２】
【従来の技術】
構築物等で人や物が出入りする開口部には枠と戸の組合せが使用される。その組合せは、枠の上・下に設けた案内に規制され横移動する引き戸型、蝶番を介して枠と接続し、蝶番の軸回りに旋回する開き戸型がある。本願の対象は蝶番を使う開き戸（扉）であるが、蝶番には扉を固定する機能はないので反対側にラッチを付け、枠側にラッチ受けを付けて、両者を嵌合して固定する。
【０００３】
ラッチがラッチ受けに嵌合するまでの動きは、扉が枠に収まり始めるとラッチの傾斜面がラッチ受けに触れ、扉の動きで傾斜面がラッチ受けに押され扉内に隠れる。扉が閉じるとラッチはラッチ受けの開口部に達し、押し込まれたラッチは内蔵ばねの力でラッチ受け内に顕れる。この段階で、傾斜面と反対の平面がラッチ受け開口部の縁に接して扉は固定される。ハンドル等でラッチを引き込むと扉を開くことができる。
【０００４】
枠に取付けたラッチ受けは動かないが、扉に取付けたラッチは扉と共に動くので、両者の取付けに扉の動きを考慮しないと、開閉操作で満足な嵌合が得られない。特に、旋回方向の取付代が限られるため、ラッチ受けの構造に、ラッチとの嵌合を調整する機能材を内蔵するものが多く、ラッチ受けに関する構造の出願も多く見られる。
【０００５】
調整材にカム、ラックとピニオンの組合せ、ナットとスクリュー等の組合せがある。例えば、実開平４−５６８７５、特開平８−２８４４９２、特開２０００−２９１２９７の各号では軸と円板が非同心のカムを使用する。実公平７−２１７６９、特開２０００−９６８８５の各号ではピニオンとナットを使用する。実開平６−８５８８０、特開２０００−１０４４２４の各号ではナットとスクリューを使用する。
【０００６】
【発明が解決しようとする課題】
図１の突起２と円板３を非同心とするカム１がラッチ受けに使用される。カムは、回転の主体を突起と円板の何れにするか、変位の取りだし方向をどのようにするかで使い方も異なるが、ラッチに対するラッチ受けの位置調整を容易にし、構造を簡単にする共通の利点がある。然し、扉を開閉する度に軽度の衝撃がラッチとラッチ受けに伝わり、長期使用中に位置ずれがおきて、扉の開閉に不具合が生じ再調整が必要になる。
【０００７】
カムは接する部材に自身の回転動作を直線動作に変えて伝える特徴がある。対称形状のカムは一回転の中で、１／２回転を境に変位方向を逆転し、最少と最大の変位を繰り返す。非対称形状のカムもあるが使用目的と条件、例えば、回転の連続性（連続・間歇）や衝撃の有無等を吟味しないと、長期の使用後に思わぬ問題を引き起こす。
【０００８】
図１は、横移動が出来る突起２を回転軸に当て、回転はするが横移動を規制された円板３を非同心とするカム１の動きを示した。同図（Ａ）の突起を回転して円板３を矢印方向に回転すると、同図（Ｂ）のようにカムの偏心量Ｈは矢印方向の直線変位量Ｌに変わり、突起は左右横方向に動き接触相手４を横方向に押す。円板は接触相手と二点ｂ，ｃで摺動可能に接し、二点と中心ａを結ぶ半径線ｒ１  ，ｒ２  の交角αは、同図（Ａ）から同図（Ｄ）のように変化する。
【０００９】
図２は図１と同じカム１を使用するが、円板３は回転だけに止めて移動を規制した点で異なる。同図（Ａ）の突起２を回転して円板を矢印方向に回転すると、同図（Ｂ）のようにカムの持つ偏心量Ｈは矢印方向の直線変位量Ｌに変わり、突起から接触相手４の長孔５に伝わる。突起は二点ｄ，ｅで接触して同図（Ａ）から同図（Ｄ）の上・下方向に動き、接触相手を横方向に動かす。
【００１０】
図１，２のカム１には共通する問題がある。図１のカムは交角αが一定しないため、同図（Ｂ，Ｄ）で二点の作用力を相殺しても、他の位置で相殺できない。図２のカムも同図（Ｂ，Ｄ）以外は図１と同様に作用力を相殺できない。何れも外力と偏心量によるモーメントが原因で位置がずれる。この原因は図３（Ａ）のように回転角度Θと変位量Ｈが比例関係にないためである。
【００１１】
カム以外に、ラックとピニオンかナットとスクリューの組合せを内蔵するラッチ受けもあるが、扉の開閉による衝撃を繰り返し受けると位置ずれを起こしやすい。何れも噛合部のバックラッシュによる緩みに起因し、緩み防止機構を必要として複雑な構造になりやすい。本発明は、簡単な構造の儘で作用力に不均衡を生じないカムを提供し、問題を解決した調整ラッチ受けの提供を目的とする。
【００１２】
【課題を解決するための手段】
本発明は、開口部用開閉材の扉と枠の組合せに使用するラッチとラッチ受けに於いて、
枠側に取付けたラッチ受けが、底板部材とカムとラッチ受け部と表板を主部材として、ラッチ受け部と底板部材の各底板の間にカムを格納し、
ラッチ受け部の底孔にカム軸を嵌合して回動自在に保持し、底板部材の横側の開口側を内折した左・右壁内面に設けた突起の間でカム本体を回動自在に挟み、カムを回転するとラッチ受け部が表板と底板部材に沿い移動する構造とした調整ラッチ受けである。
【００１３】
【発明の実施の形態】
本発明は、対称形状で断面が苺型のカムを内蔵した調整ラッチ受けに関する。図３（Ｂ）のように、縦・横軸に変位量Ｈと角度Θを均等に割り付け、Ｈ＝０の横軸を延長した線に接する任意径の基礎円を描き、横軸の延長線と基礎円の半径線の直交点を始点に、基礎円の半径に変位量を加えた新半径で円を描き、変位量に対応する回転角度の半径線を延長して交点を求め、各交点の軌跡をカム本体の外周形状に採り入れた。
【００１４】
回転角度Θと変位量Ｈは比例（直線）関係を保つので等速カムと呼ぶ。この形状は底板部材の壁内面に設けた突起でカム本体を挟むと、カムの回転角度に関係なく両突起の接点を結ぶ線上にカム軸中心がある。カムが回転してもカム軸中心を通る直径線上の二点間の距離Ｄ（図６参照）が一定の他に、両点の圧力角が等しくなるので、作用力は同じ大きさで逆向きとなり相殺されて均衡を保つ。この結果、カムを回転しない限り開閉時の衝撃等の外力が原因で動くことはない。
【００１５】
【作用】
本発明の調整ラッチ受けは内蔵カム自身の形状で、回転力以外の作用力を自力相殺して位置ずれを防止する。
【００１６】
【実施例】
図４は調整ラッチ受けの分解斜視図である。図５（Ａ，Ｂ，Ｃ，Ｄ）は扉側のラッチと枠側の調整ラッチ受けの開閉時の嵌合状態を示す平面図と同図（Ａ）のｆ−ｆに沿う断面図である。図６（Ａ，Ｂ）はカムの平面図と断面図である。図７（Ａ，Ｂ，Ｃ，Ｄ）はカム１回転を１／４回転毎に分けた平面図である。図８（Ａ，Ｂ，Ｃ，Ｄ）は図５（Ａ）に図７（Ａ，Ｂ，Ｃ，Ｄ）を合成したラッチ受け部とカムの関係を示す平面図である。
【００１７】
図４の調整ラッチ受け１１は底板本体１２、カム１９、ラッチ受け部２６、表板３１を主部材とする。図５（Ａ）の調整ラッチ受けは、同図（Ｂ）のように扉６を閉じた時ラッチ７と枠８側のラッチ受け部２６の当たりを、同図（Ｃ）のようにラッチ受け部の底孔３０で保持したカム軸２１の頭部に付けた切り込み２２をドライバー等の工具２５で回転し、同図（Ｄ）のように調整する。
【００１８】
調整ラッチ受け１１の組立要領を説明する。底板本体１２はコの字状断面の上・下壁１４の上縁を外向きに折返したフランジ１５を有し、底板１３の左・右開口側を内側に折曲げて形成した左・右壁１７に突起１８を備える。ラッチ受け部２６は底板本体より底の浅い箱状で、開口側の縁を折曲げたフランジ２７と底板２９に開けた底孔３０を有する。底孔でカム１９のカム軸２１を回動自在に保持し、底板本体に挿入してカム本体２１を突起の間で支え、表板３１で覆い取付孔１６，３３同士をかしめどめする。調整ラッチ受けを枠８の取付穴９に挿入してねじ１０で止める。
【００１９】
図６（Ａ，Ｂ）は図３（Ｂ）の作図方法で描かれたカム１９である。左・右対称形状で、始点２３は凹形状、終点２４は突形状をなす。カム軸２１中心を通る直線とカム本体２０外周の交点間距離Ｄが、全回転角度で同じであることが特長である。この等速カムを動態使用すると両点の加速度が無限大となり作用力が大で注意が必要になるが、調整ラッチ受けでは静態使用するので問題にならない。本例のカムはプレスで成形したが切削、鋳造等の製法で製作してもよい。
【００２０】
図７（Ａ）から同図（Ｄ）で、底板本体１２の突起１８に接するカム本体２０の二点とカム軸２１中心が直線上にあることを示した。二点の作用力は同じ大きさで逆向きとなり相殺されて、扉開閉時の衝撃を長期受けてもカムは動かない。カムは１／２回転毎に始点２３（最大値）と終点２４（最少値）の間を変位するために、両点の突起に接する部分は滑らかな回転を失わぬように仕上げる。図８（Ａ，Ｂ，Ｃ，Ｄ）にカムの１／４回転毎のラッチ受け部２６と表板３１のラッチ受け孔３２との状態を示した。
【００２１】
【発明の効果】
本発明の調整ラッチ受けから下記の効果を得た。
▲１▼等速カムを使用したので、回転角度に関係なく二点の作用力は互い相殺し、等速カムは回転力を加えない限り動くことがない。
▲２▼回転角度と変位量が比例関係するので調整しやすい。
▲３▼等速カムを使用しても構造は簡単で現場調整にも時間を要しない。
▲４▼故障の心配がなくメンテナンスレスで済む。
【図面の簡単な説明】
【図１】（Ａ，Ｂ，Ｃ，Ｄ）は突起と円板が非同心のカムから円板の一回転の動きを利用する動作図である。
【図２】（Ａ，Ｂ，Ｃ，Ｄ）は突起と円板が非同心のカムから突起の一回転の動きを利用する動作図である。
【図３】（Ａ，Ｂ）は変位と角度が比例関係にないカムと比例関係にあるカムの特性図である。
【図４】調整ラッチ受けの分解斜視図である。
【図５】（Ａ）は調整ラッチ受けの平面図、（Ｂ，Ｃ，Ｄ）は（Ａ）のｆ−ｆに沿う断面図で、ラッチと調整ラッチ受けの開閉時の嵌合状態を示した。
【図６】（Ａ，Ｂ）はカムの平面図と断面図である。
【図７】（Ａ，Ｂ，Ｃ，Ｄ）はカム１回転を１／４回転毎に分けた平面図である。
【図８】（Ａ，Ｂ，Ｃ，Ｄ）は図５（Ａ）に図７（Ａ，Ｂ，Ｃ，Ｄ）を合成してラッチ受け部とカムの関係を示す平面図である。
【符号の説明】
８  枠
９  取付穴
１１  調整ラッチ受け
１２  底板本体
１３，２９  底板
１４，２８  上・下壁
１５，２７  フランジ
１６，３３  取付孔
１７  左・右壁
１９  カム
２０  カム本体
２１    カム軸
２６  ラッチ受け部
３０  底孔
３１  表板
【図１】
2004346640.tif 000003
【図２】
2004346640.tif 000004
【図３】
2004346640.tif 000005
【図４】
2004346640.tif 000006
【図５】
2004346640.tif 000007
【図６】
2004346640.tif 000008
【図７】
2004346640.tif 000009
【図８】
2004346640.tif 000010